(57)【要約】【課題】再遊技のために単価毎の口座が設けられ、口座間の振替を伴う振替再遊技が可能な遊技場に適用される遊技場用管理システムにおいて、再遊技の傾向を把握可能な遊技場用管理システムを提供すること。【解決手段】遊技場用管理システム１は、各遊技機２に対応して設けられ、貯蓄された遊技価値のうちその遊技機に対応する単価に合致する単価の遊技価値である第１遊技価値を遊技に使用可能とする第１遊技価値使用手段３４１と、各遊技機２に対応して設けられ、貯蓄された遊技価値のうちその遊技機に対応する単価に合致しない単価の遊技価値である第２遊技価値を遊技に使用可能とする第２遊技価値使用手段３４２と、第１遊技価値及び第２遊技価値の大きさを単価毎に区別して集計する遊技価値集計手段６０２と、集計結果を出力する集計結果出力手段６０３と、を備えている。【選択図】図１
2014064847.tif 000002
【特許請求の範囲】
【請求項１】
遊技に使用する遊技価値の単価が異なる複数種類の遊技機が設置された遊技場に適用する遊技場用管理システムにおいて、
遊技者が遊技機での遊技により獲得した遊技価値の大きさを、当該遊技機に対応する単価と対応付けた状態で記憶する遊技価値記憶手段と、
各遊技機に対応して設けられ、前記遊技価値記憶手段に記憶された遊技価値のうち当該遊技機に対応する単価に合致する単価の遊技価値である第１遊技価値を遊技に使用可能とする第１遊技価値使用手段と、
各遊技機に対応して設けられ、前記遊技価値記憶手段に記憶された遊技価値のうち当該遊技機に対応する単価に合致しない単価の遊技価値である第２遊技価値を遊技に使用可能とする第２遊技価値使用手段と、
前記第１遊技価値使用手段及び第２遊技価値使用手段により遊技に使用可能とされた第１遊技価値及び第２遊技価値の大きさを、前記遊技機に対応する単価毎に区別して集計する遊技価値集計手段と、
この遊技価値集計手段により集計された結果を出力する集計結果出力手段と、を備えたことを特徴とする遊技場用管理システム。
【請求項２】
前記遊技価値集計手段により集計された第１遊技価値及び第２遊技価値の合算値に対する前記第１遊技価値及び第２遊技価値それぞれの割合を算出して出力する割合出力手段を備えたことを特徴とする請求項１に記載の遊技場用管理システム。
【請求項３】
前記第２遊技価値使用手段は、予め許可された単価の遊技価値のみを遊技に使用可能とし、予め許可されていない単価の遊技価値の使用を禁止することを特徴とする請求項１又は２に記載の遊技場用管理システム。
【発明の詳細な説明】
【技術分野】
【０００１】
本発明は、遊技媒体の単価設定が異なる遊技機が設置された遊技場に適用する遊技場用管理システムに関する。
【背景技術】
【０００２】
従来より、同種の遊技媒体であるが、１個あるいは１枚当たりの単価設定が異なる遊技機が設置された遊技場がある。このような遊技場では、遊技者側の遊技機の選択に応じて遊技媒体の単価設定を選択して遊技できる。比較的少ない軍資金で長く楽しみたいと考える遊技者であれば、低めの単価設定の遊技機を選択すれば良く、効率良く稼ぎたい遊技者であれば、高めの単価設定の遊技機を選択すれば良い。
【０００３】
このような遊技場向けのシステムとして、貸出単価の異なる遊技媒体を別々の口座に貯蓄し、その貯蓄した遊技媒体を使用した再遊技を可能としたシステムが知られている（例えば、特許文献１参照。）。このシステムでは、ある単価の遊技機を遊技する際、その単価の口座の貯玉を使用した再遊技だけでなく、異なる単価の口座の貯玉を使用した口座の振替を伴う振替再遊技が可能となっており、遊技者側の利便性が向上されている。例えば、１円の口座にパチンコ玉を貯蓄している遊技者であれば、単価４円のパチンコ遊技機を遊技する際、１円の口座の４個分を４円の口座の１個に振り替えて再遊技できる。
【０００４】
しかしながら、上記のシステムでは、振替再遊技を行う遊技者の数や、振替遊技の際の振替元口座及び振替先口座など、振替再遊技の傾向を把握できないという問題がある。
【先行技術文献】
【特許文献】
【０００５】
【特許文献１】特開２０１１−８３３８０号公報
【発明の概要】
【発明が解決しようとする課題】
【０００６】
本発明は、前記従来の問題点に鑑みてなされたものであり、再遊技のために単価毎の口座が設けられ、口座間の振替を伴う振替再遊技が可能な遊技場に適用される遊技場用管理システムにおいて、再遊技の傾向を把握可能な遊技場用管理システムを提供するものである。
【課題を解決するための手段】
【０００７】
本発明は、遊技に使用する遊技価値の単価が異なる複数種類の遊技機が設置された遊技場に適用する遊技場用管理システムにおいて、
遊技者が遊技機での遊技により獲得した遊技価値の大きさを、当該遊技機に対応する単価と対応付けた状態で記憶する遊技価値記憶手段と、
各遊技機に対応して設けられ、前記遊技価値記憶手段に記憶された遊技価値のうち当該遊技機に対応する単価に合致する単価の遊技価値である第１遊技価値を遊技に使用可能とする第１遊技価値使用手段と、
各遊技機に対応して設けられ、前記遊技価値記憶手段に記憶された遊技価値のうち当該遊技機に対応する単価に合致しない単価の遊技価値である第２遊技価値を遊技に使用可能とする第２遊技価値使用手段と、
前記第１遊技価値使用手段及び第２遊技価値使用手段により遊技に使用可能とされた第１遊技価値及び第２遊技価値の大きさを、前記遊技機に対応する単価毎に区別して集計する遊技価値集計手段と、
この遊技価値集計手段により集計された結果を出力する集計結果出力手段と、を備えたことを特徴とする遊技場用管理システムにある（請求項１）。
【０００８】
前記第１遊技価値は、前記遊技価値記憶手段に記憶された遊技価値のうち、遊技機に対応する単価に合致する単価の遊技価値である。前記第２遊技価値は、前記遊技価値記憶手段に記憶された遊技価値のうち、遊技機に対応する単価に合致しない単価の遊技価値である。本発明の遊技場用管理システムでは、前記第１遊技価値使用手段及び第２遊技価値使用手段により遊技に使用可能とされた第１遊技価値及び第２遊技価値の大きさが、前記遊技価値集計手段によって前記遊技機に対応する単価毎に区別して集計される。このように集計された結果は、前記集計結果出力手段により出力される。
【０００９】
この遊技場用管理システムでは、単価毎の前記第１遊技価値及び前記第２遊技価値の集計結果の出力により、前記遊技価値記憶手段に記憶された遊技価値がどのように使用されたかの傾向を客観的に把握できる。
【００１０】
本発明の遊技場用管理システムは、単価が異なる複数種類の遊技機が設置された遊技場において、記憶された遊技価値を使用した遊技の傾向を把握するために有用なシステムである。
【００１１】
本発明における遊技機としては、パチンコ玉の入賞口を備えるパチンコ遊技機や、停止表示された図柄の組合せに応じて入賞を発生させるスロットマシン等がある。パチンコ遊技機としては、遊技媒体であるパチンコ玉を遊技価値として使用するタイプであっても良いが、パチンコ玉を遊技価値として利用しない、いわゆる封入式のタイプであっても良い。スロットマシンとしては、メダルやコイン等を遊技媒体として使用するスロットマシンでも良いが、遊技媒体を使用しない、いわゆる完全クレジット式のスロットマシンであっても良い。さらに、スロットマシンの場合であれば、パチンコ玉を遊技媒体として使用するパロット（Ｒ）であっても良い。
【００１２】
本発明においては、パチンコ玉やメダル等の遊技媒体を入賞等に応じて払い出す遊技機の場合、遊技媒体が遊技価値となる。一方、上記封入式のパチンコ遊技機や、完全クレジット式のスロットマシンの場合であれば、入賞に応じて電子的に付与されるポイント等が遊技価値となる。
パチンコ遊技機の場合、遊技価値の単価としては４円が一般的であるが、他に２円や１円等の単価設定が考えられる。スロットマシンの場合、遊技価値の単価としては２０円が一般的であるが、他に１０円や５円の単価設定が考えられる。
【００１３】
本発明の好適な一態様の遊技場用管理システムは、遊技価値集計手段により集計された第１遊技価値及び第２遊技価値の合算値に対する前記第１遊技価値及び第２遊技価値それぞれの割合を算出して出力する割合出力手段を備えている（請求項２）。
前記第１遊技価値及び前記第２遊技価値の合算値は、全ての再遊技に対応している。この合算値に対する前記第１遊技価値の割合は、全ての再遊技のうち口座の振替を伴わない再遊技の割合である。一方、前記合算値に対する前記第２遊技価値の割合は、全ての再遊技のうち口座の振替を伴う再遊技の割合である。前記合算値に対する前記第１遊技価値及び前記第２遊技価値それぞれの割合を算出して出力すれば、前記遊技価値記憶手段に記憶された遊技価値を使用した再遊技全体に対して、口座の振替を伴う振替再遊技の割合や、口座の振替を伴わない再遊技の割合を定量的に把握できる。
【００１４】
本発明の好適な一態様の遊技場用管理システムにおける第２遊技価値使用手段は、予め許可された単価の遊技価値のみを遊技に使用可能とし、予め許可されていない単価の遊技価値の使用を禁止する（請求項３）。
例えば、特定の単価からの振替再遊技に偏りが生じているとき、その単価からの振替再遊技を禁止することにより偏りを是正するような運用が可能になる。
【図面の簡単な説明】
【００１５】
【図１】実施例における、遊技場用管理システムのシステム構成を示すシステム図。
【図２】実施例における、パチンコ遊技機と計数貸出ユニットとの組合せを示す正面図。
【図３】実施例における、計数貸出ユニットの電気的構成を示すブロック図。
【図４】実施例における、計数貸出ユニットの表示画面を示す正面図。
【図５】実施例における、種別間移動設定を示す説明図。
【図６】実施例における、会員毎の貯蓄データを示す説明図。
【図７】実施例における、会員別再遊技履歴データを示す説明図。
【図８】実施例における、会員別再遊技集計データを示す説明図。
【図９】実施例における、全店再遊技集計データを示す説明図。
【図１０】実施例における、全店再遊技種別割合データその１を示す説明図。
【図１１】実施例における、全店再遊技種別割合データその２を示す説明図。
【発明を実施するための形態】
【００１６】
本発明の実施の形態につき、以下の実施例を用いて具体的に説明する。
（実施例）
本例は、遊技媒体（遊技価値）の貸出単価が異なる遊技機２が設置された遊技場向けの遊技場用管理システム１に関する。この内容について、図１〜図１１を参照して説明する。
【００１７】
本例の遊技場では、通路に面して複数台の遊技機２が配列された遊技機島１００が複数形成されている。遊技機島１００としては、パチンコ遊技機２１が設置されたパチンコ島と、スロットマシン２２が設置されたスロット島と、がある。さらに、パチンコ島の中には、貸玉単価が４円のパチンコ遊技機２１が設置された遊技機島１００や、貸出単価が１円のパチンコ遊技機２１が設置された遊技機島１００などがある。スロット島の中には、貸出単価が２０円のスロットマシン２２が設置された遊技機島１００や、貸出単価が５円のスロットマシン２２が設置された遊技機島１００などがある。なお、以下の説明では、４円のパチンコ遊技機２１、１円のパチンコ遊技機２１、２０円のスロットマシン２２、５円のスロットマシン２２の各遊技機の種別を、それぞれ、４Ｐ、１Ｐ、２０Ｓ、５Ｓという。
【００１８】
遊技場内には、景品交換のための景品カウンタや、遊技場の管理者等が詰める管理スペースが設けられている。景品カウンタには、遊技価値に応じて好みの景品に交換するための景品交換端末（ＰＯＳ端末）５が設置されている。管理スペースには、遊技場に設置された各種機器の稼動状況を管理する管理装置６等が設置されている。
【００１９】
本例の遊技場用管理システム１は、図１に示すごとく、景品交換端末５、管理装置６、遊技機２、及び遊技媒体の貸出・計数のために遊技機２毎に設置された計数貸出ユニット３等が、場内ネットワーク１１を介して通信可能な状態で接続されたシステムである。計数貸出ユニット３としては、パチンコ遊技機２１用の計数貸出ユニット３１と、スロットマシン２２用の計数貸出ユニット３２と、がある。
【００２０】
遊技機２は、対応する計数貸出ユニット３と共に図示しない中継器を介して場内ネットワーク１１に接続されている。各遊技機島１００には中継器１１０が設置され、遊技機島１００の遊技機２や計数貸出ユニット３等はこの中継器１１０を介して管理装置６等と通信可能な状態で接続されている。以下、遊技場用管理システム１の構成機器について順番に説明する。
【００２１】
（管理装置）
管理装置６は、遊技場内に設置される遊技機２、計数貸出ユニット３、景品交換端末５、の稼動状況を管理している。
本例の管理装置６は、遊技場側に登録された会員向けの貯玉サービスを管理する機能を備えている。貯玉サービスとは、遊技場側に貯蓄（貯玉）した遊技媒体を使用した再遊技を可能にするサービスである。管理装置６では、各会員について、単価及び遊技媒体毎の貯玉の口座が管理されている。本例の貯玉サービスでは、単価が同じ遊技機２の間で同じ口座の貯玉を使用する通常の再遊技のほか、単価や遊技媒体の種類が異なる遊技機２の間で異なる口座の貯玉の使用を可能にする口座振替を伴う振替再遊技が可能になっている。
【００２２】
管理装置６は、液晶ディスプレイや図示しないプリンタ等を含む出力部６１と、各種の演算処理を実行する装置本体６２と、キーボード及び図示しないマウスを含む入力部６３と、を備えている。装置本体６２は、演算処理を実行するＣＰＵ（Central Processing Unit）を中心とした制御機能、ハードディスクドライブ、ＲＯＭ（Read Only Memory）、ＲＡＭ（Random Access Memory）等を利用する記憶機能、及び各種信号あるいは情報を送受信する通信機能等を有している。
【００２３】
管理装置６は、予めインストールされたプログラムを装置本体６２で実行することで、貯玉サービスに必要な以下の各手段としての機能を実現する。
（１）遊技者が獲得した遊技媒体数（遊技価値の大きさ）を、各会員毎に記憶する遊技価値記憶手段６０１。
（２）通常の再遊技に使用された第１遊技価値、及び振替再遊技に使用された第２遊技価値の大きさを単価毎に区別して集計する遊技価値集計手段６０２。
（３）遊技価値集計手段６０２により集計された結果を出力する集計結果出力手段６０３。
（４）遊技価値集計手段６０２により集計された第１遊技価値及び第２遊技価値の合算値に対する第１遊技価値及び第２遊技価値それぞれの割合を算出して出力する割合出力手段６０４。
【００２４】
本例の遊技場用管理システム１では、入金残高や持玉数等の管理に遊技カード１０が活用されている。管理装置６では、遊技者が所有する持玉数及び貯玉数（貯蓄数）という遊技価値の大きさが記憶され、ＩＣチップが実装された遊技カード１０毎に管理されている。遊技カード１０には、会員カード１０１と一般カード１０２があり、遊技場の会員向けの会員カード１０１については、会員ＩＤと共用のカードＩＤを対応付けて入金残高、持玉数、貯玉数が管理されている。非会員向けの一般カード１０２については、カードＩＤを対応付けて入金残高及び持玉数が管理されている。なお、ここで、持玉は、当日に計数された玉であり、会員であるか否かによらず使用可能である。貯玉は、会員向けのサービスである貯玉サービスを利用して預け入れられた前日以前の計数玉である。特に、本例の管理装置６では、遊技機の種別毎の口座が管理され、カードＩＤ（会員ＩＤ）を対応付けて口座種別毎の貯玉数が記憶されている。
【００２５】
（遊技機）
パチンコ遊技機２１は、図１に示すごとく、いわゆるセブン機と呼ばれるパチンコ遊技機であり、パチンコ玉を遊技価値として遊技される遊技機である。このパチンコ遊技機２１の遊技では、所定の始動口へのパチンコ玉の入賞に応じて大当たり判定用の抽選乱数が抽出されて大当たり抽選が実行され、「７７７」等の揃いの図柄の停止表示によって大当たり当選が報知される。大当たり当選が発生すると、いわゆるアタッカーと呼ばれる可変入賞装置が開口するラウンド遊技が複数回繰り返される大当たり状態が開始される。
【００２６】
パチンコ遊技機２１は、図示しない発射装置にパチンコ玉を供給する上皿２１１と、上皿２１１から溢れたパチンコ玉を貯える下皿２１２と、を備えている（図２参照。）。下皿２１２の手前側の縁には、スライドレバー２１３が設けられ、スライドレバー２１３の操作に応じて下皿２１２の底が抜けるようになっている。
上皿２１１の縁部の上面には、貸出ボタン２１４、返却ボタン２１５が配設されている。貸出ボタン２１４及び返却ボタン２１５は、計数貸出ユニット３の動作に関する操作ボタンである。各ボタンの機能説明は、後述する計数貸出ユニット３の動作説明に含める。
【００２７】
スロットマシン２２は、図１に示すごとく、図柄を変動表示する３基のリールを備え、図柄表示窓に停止表示された３つの図柄の組合せに応じて入賞を発生させる遊技機である。スロットマシン２２では、規定枚数のメダルの投入に応じて、リールの回転を開始させるためのスタートレバーの操作が可能になる。各リールの回転は、対応するストップボタンの操作に応じて停止でき、所定の入賞ラインに沿って入賞図柄の組合せが揃ったときに対応する役が入賞し、予め役毎に規定された数量のメダルが下皿２２０に払い出される。
【００２８】
（計数貸出ユニット）
計数貸出ユニット３は、図１に示すごとく、各遊技機２に個別に対応するよう、隣り合う遊技機２との台間スペースに設置されている。パチンコ遊技機２１向けの計数貸出ユニット３１は、遊技用のパチンコ玉の払出機能と、獲得されたパチンコ玉の計数機能と、を備えている。スロットマシン２２向けの計数貸出ユニット３２は、遊技用のメダルの払出機能と、獲得されたメダルの計数機能と、を備えている。以下、パチンコ遊技機２１向けの計数貸出ユニット３１を中心に、その仕様や構成等を説明する。スロットマシン２２向けの計数貸出ユニット３２については、計数貸出ユニット３１との相違点を説明する。
【００２９】
計数貸出ユニット３１の前面には、図２のごとく、装置エラーやカードのストック切れ等の作動状態を表示する状態表示部３１１、貸玉代金となる貨幣を投入する貨幣投入口３５、液晶表示部３３１の表示画面にタッチスクリーンシート３３２が積層されたタッチパネル３３、持玉等からパチンコ玉を払い出させる払出ボタン３１４、パチンコ遊技機２１の上皿２１１に貸玉を供給する払出ノズル３１５、遊技カード１０を挿入するカード挿入口３６が設けられている。カード挿入口３６の横には、カード返却ボタン３６１が配設されている。
【００３０】
計数貸出ユニット３１の最下部には、パチンコ玉を計数する計数部３７が設けられている。計数部３７からは中空ダクト３７１が延設され、この中空ダクト３７１の先端側には、パチンコ遊技機２１の下皿２１２から流下したパチンコ玉を受け止める計数受け皿３７２が取り付けられている。スライドレバー２１３の操作に応じてパチンコ遊技機２１の下皿２１２から計数受け皿３７２に流下したパチンコ玉は中空ダクト３７１を経由して計数部３７に供給される。
【００３１】
カード挿入口３６には、ＩＣチップが実装された会員カード１０１、一般カード１０２などの遊技カード１０を挿入可能である。一般カード１０２には、カードＩＤのほか、入金残高や持玉数等が記録されている。会員カード１０１には、カードＩＤ（会員ＩＤ）、入金残高、持玉数のほかに、会員向けのサービスメニューにログインするためのパスコードが記録されている。前日以前の計数玉を貯玉として預け入れる貯玉サービスは、会員向けのサービスメニューのひとつである。なお、貯玉サービスによる貯玉数については、会員カード１０１には記録されず、専ら管理装置６側で、カードＩＤ（会員ＩＤ）が対応付けされた状態で遊技機２の種別に対応する口座毎に管理されている。
【００３２】
計数貸出ユニット３１は、図３のごとく、ＣＰＵ３０１、ＲＯＭ３０２、ＲＡＭ３０３、Ｉ／Ｏ３０４等を備える制御部３０を中心として電気的に構成されている。制御部３０に対しては、上記の構成のほか、Ｉ／Ｆ部３８、投入紙幣の種別等を検知する紙幣処理部３５１、カード挿入口３６から挿入された遊技カード１０のカード情報を読み書きするカードリーダライタ３６２、新規発行用の一般カード１０２を５枚ストックするカードストック部３６３、遊技用のパチンコ玉を払い出す払出部３１６、計数玉を計数する計数部３７等が電気的に接続されている。本例の計数貸出ユニット３１は、Ｉ／Ｆ部３８を介して管理装置６、パチンコ遊技機２１と通信可能な状態で接続されている。
【００３３】
計数貸出ユニット３１は、以下の手段としての機能を備えている。
（１）管理装置６に記憶された遊技価値（貯玉）のうち、対応する遊技機２の単価に合致する単価の遊技価値である第１遊技価値を遊技に使用可能とする第１遊技価値使用手段３４１。
（２）管理装置６に記憶された遊技価値（貯玉）のうち、対応する遊技機２の単価に合致しない単価の遊技価値である第２遊技価値を遊技に使用可能とする第２遊技価値使用手段３４２。
【００３４】
このように構成された計数貸出ユニット３１では、貨幣投入口３５に貨幣が投入されたとき、その金額が入金残高として記憶されると共に、貸出可能な度数（１度数：１２５玉）がタッチパネル３３に表示されて貸玉の払出が可能になる。会員カード１０１を未挿入の遊技の場合、貨幣の受付に応じてカードストック部３６３から一般カード１０２が繰り出され、その一般カード１０２に入金残高が記憶される。その後、遊技を通じて持玉が発生したときは、その一般カード１０２に持玉数が記録される。
【００３５】
遊技カード１０が挿入された場合、その遊技カード１０は、管理装置６による使用許可に応じて使用可能となる。遊技カード１０が使用可能になると、図４の表示画面３９のごとく、記録された入金残高及び持玉数がタッチパネル３３に表示されて、貸玉の払出、持玉の払出が可能になる。特に、会員カード１０１の場合には、貯玉サービスを利用した遊技が可能である。貯玉を使用して遊技しようとする際には、タッチパネル３３に表示される図示しないテンキーを利用してパスコードを入力する必要がある。正しいパスコードの入力に応じて、管理装置６がその会員カード１０１に対応して遊技機の種別毎に管理する各口座の貯蓄数（貯玉数）が照会され、表示画面３９に併せて表示される。
【００３６】
ここで、管理装置６による使用許可について説明しておく。計数貸出ユニット３が遊技カード１０から読み出したカードＩＤ、入金残高、持玉数のデータは、管理装置６に向けて送信される。管理装置６側では、カードＩＤ毎に入金残高等が管理されているデータベースが参照されて入金残高等のデータの成否が判断され、正しい場合には計数貸出ユニット３に向けて使用許可が返信される。
【００３７】
また、図４の表示画面３９には、種別表示欄３９１、カード種別表示欄３９２、貯蓄数表示欄３９３、各種案内を表示するメッセージ表示欄３９４、入金残高表示欄３９５、持玉数表示欄３９６が配置されている。種別表示欄３９１には、対応する遊技機２の種別、及び単位払出数が表示される。カード種別表示欄３９２には、受付中の遊技カード１０の種類が表示される。貯蓄数表示欄３９３は、会員向けの貯玉サービスにより貯蓄された種別毎の貯蓄数（貯玉数）の表示欄であり、会員限定の表示である。一般カード１０２を利用した遊技の場合には、この貯蓄数表示欄３９３は非表示となる。入金残高表示欄３９５には、貨幣投入口３５を介して投入された貨幣のうち、貸玉の代金として消費されていない残りの金額を表す入金残高が表示される。持玉数表示欄３９６には、遊技を通じて獲得され、計数済みのパチンコ玉の数である持玉数が表示される。
【００３８】
入金残高が表示された状態であれば、パチンコ遊技機２１が備える貸出ボタン２１４の操作に応じて、１度数１２５玉ずつ貸玉の払出を受けることが可能である。貸玉が行われると、その代金を差し引いた新たな入金残高により遊技カード１０のデータが更新されると共に、タッチパネル３３の残りの貸出可能度数の表示が更新される。
持玉数が表示された状態であれば、払出ボタン３１４の１回の操作に応じて、１度数１２５玉のパチンコ玉を持玉の中から払い出させることができる。遊技カード１０に記録された持玉数、及びタッチパネル３３に表示される持玉数は、その払い出しに応じて減算更新される。
【００３９】
貯蓄数（貯玉数）が表示された状態であれば、後で説明する所定の条件の下、払出ボタン３１４の操作に応じて所定の口座の貯玉の中から１２５玉を払出させることが可能である。ただし、持玉数が残っている状態であれば持玉からの払出が優先される。また、貯玉の引き落とし口座としては、対応する遊技機２の種別の口座が優先され、その口座に貯玉が無い場合には、遊技者が指定した種別の口座から貯玉が引き落としされる。なお、本例の遊技カード１０には、貯玉数が記録されていないので、貯玉からの払出が実行されても遊技カード１０のデータ更新は実行されない。貯玉の払出に応じて、管理装置６が管理する対応する口座の貯玉数が減算更新される。
【００４０】
遊技を通じてパチンコ玉を獲得できた場合、パチンコ遊技機２１のスライドレバー２１３を操作すれば、下皿２１２のパチンコ玉を計数受け皿３７２に流下させ、計数部３７に供給できる。計数部３７は、供給されたパチンコ玉の検知に応じて計数を開始する。計数された玉数は、持玉数に加算され、これによりタッチパネル３３の表示が更新されると共に、遊技カード１０に新たな持玉数が記録される。
【００４１】
遊技を終了した後、パチンコ遊技機２１が備える返却ボタン２１５が操作されると、遊技カード１０が返却あるいは発行される。遊技カード１０を利用した遊技の場合には、返却ボタン２１５の操作に応じて遊技カード１０が返却される。一方、遊技カード１０を未挿入の遊技の場合には、上記のように、貨幣の受付に応じてカードストック部３６３から繰り出され、その後の入金残高や持玉数等が記録された一般カード１０２が、返却ボタン２１５の操作に応じて発行される。なお、遊技カード１０を返却あるいは発行する際には、そのときの入金残高、持玉数等のデータが、カードＩＤ（会員カード１０１の場合は会員ＩＤと共用）と共に管理装置６に送信される。管理装置６側では、そのカードＩＤが対応付けされて管理されている入金残高、持玉数が、新たに受信された入金残高、持玉数に書き換えられる。
【００４２】
なお、スロットマシン２２向けの計数貸出ユニット３２は、次のような点でパチンコ遊技機２１向けの計数貸出ユニット３１と相違している。まず、当然ながら、取り扱う遊技媒体がパチンコ玉ではなくメダルである。払出ノズル３１５や計数受け皿３７２が設けられた計数貸出ユニット３１では、遊技者がパチンコ玉に触れることなくパチンコ玉の供給あるいは計数が実施される一方、スロットマシン２２向けの計数貸出ユニット３２では、メダル払出皿３２１に払い出されたメダルをスロットマシン２２に移し替えたり、遊技で獲得し下皿２２０に払い出されたメダルをメダル計数皿３２２に移し替える必要がある。
【００４３】
（景品交換端末）
景品交換端末５は、図１に示すごとく、遊技カード１０に記録された持玉数等を使用した景品交換を実行する端末である。本例の景品交換端末５には、遊技カード１０を読み書きできるカードユニット５１が外付けされている。景品交換端末５によれば、管理装置６によるカードの使用許可を前提として、カードユニット５１にセットされた遊技カード１０から読み取った持玉数等の範囲内での景品交換が可能である。
【００４４】
景品交換後には、管理装置６に向けて、景品交換後の持玉数等のデータがカードＩＤと共に送信されると共に、遊技カード１０に新たな持玉数等が記録される。管理装置６側では、受信したカードＩＤを対応付けて管理されている持玉数等が、同時に受信した新たな持玉数等によって書き換えられる。
【００４５】
なお、管理装置６による遊技カード１０の使用許可については、上記の計数貸出ユニット３の場合とほぼ同様である。会員カード１０１の使用許可が下りた場合、管理装置６側で管理されている口座に貯玉数が有れば、その貯玉数を使用した景品交換も可能である。各口座の貯玉数の照会及び使用は、正しいパスコードの入力に応じて許可される。
【００４６】
次に、以下の各機器によって構成される本例の遊技場用管理システム１による再遊技の管理について詳しく説明する。
本例の遊技場用管理システム１では、図５のごとく、口座振替を伴う振替再遊技が可能な口座の組合せが規定されている。同図中、４Ｐ、１Ｐ、２０Ｓ、５Ｓの種別は、それぞれ、単価４円のパチンコ遊技機、単価１円のパチンコ遊技機、単価２０円のスロットマシン、単価５円のスロットマシン、及び対応する口座を表している。同図から知られるように、例えば、４Ｐの口座は、１Ｐの口座及び２０Ｓの口座への口座振替が可能となっている。各口座から他の口座への振替可否は遊技場側が任意に設定することができる。
【００４７】
管理装置６では、遊技機２の種別に対応する４Ｐ、１Ｐ、２０Ｓ、５Ｓの各口座が会員毎に管理され、図６のごとく、会員カード１０１のカードＩＤと共用される会員ＩＤが対応付けされた状態で、口座毎に貯玉数が管理されている。管理装置６では、さらに、図７のごとく、各会員について、営業日毎の再遊技履歴が記録されている。同図の再遊技履歴データでは、各再遊技について、貯玉が払出された時刻、遊技機２の台番、遊技機２の種別、遊技媒体の払出数、貯玉を引き落とした口座種別、口座から引き落された減算数、引き落とし後の口座残高（貯玉数）が記録されている。
【００４８】
例えば、時刻１０：０１の再遊技レコードは、１Ｐの口座の貯玉を使用した１Ｐの遊技機２の再遊技履歴であり、１Ｐの口座からの減算数が１２５玉（第１遊技価値）となっている。時刻１０：５４の再遊技レコードは、１Ｐの口座の貯玉を使用した４Ｐの遊技機２の再遊技履歴である。この再遊技では、遊技用のパチンコ玉の払出数が１２５個であるのに対し、１Ｐの口座から１２５個×４＝５００個（第２遊技価値）が口座振替で引き落とされている。
【００４９】
管理装置６は、図７の再遊技履歴データを集計することにより、例えば、図８〜図１１のような集計データを生成する。
図８は、会員別再遊技集計データの一例である。この会員別再遊技集計データは、会員ＩＤ１２３４５６の会員に関する８月１日の再遊技の集計データである。同図中、各行（横方向）の遊技種別は、再遊技された遊技機２の種別を表し、各列（縦方向）は、再遊技のときに貯玉が使用された口座種別を表している。
【００５０】
例えば、４Ｐの遊技機２の再遊技に当たって、４Ｐの口座から１２５玉が引き出され、１Ｐの口座から口座振替により２５０玉が引き落とされたことがわかる。同図中、遊技種別と口座種別とが一致する欄の遊技価値が、口座振替を伴わない再遊技に使用された第１遊技価値である。一方、遊技種別と口座種別とが一致しない欄の遊技価値が、口座振替を伴う振替再遊技に使用された第２遊技価値である。なお、同図は、集計期間として１日を設置しているが、集計期間は、日、週、月、年単位で設定可能である。
【００５１】
図９は、全店再遊技集計データの一例である。この全店再遊技集計データは、８月１日の全ての再遊技の集計データである。なお、図８と同様、集計期間は、日、週、月、年単位で設定可能である。同図中、各行（横方向）の遊技種別は、再遊技された遊技機２の種別を表し、各列（縦方向）は、再遊技のときに貯玉が使用された口座種別を表している。
【００５２】
図１０は、全店再遊技種別割合データの一例である。行と列の項目は、図９と同様に設定されている。この割合データでは、再遊技に使用された遊技価値（貯玉数）の各遊技種別の内訳が口座毎に示されている。例えば、４Ｐの口座（４Ｐ払出の列）では、４Ｐの遊技機２での口座振替を伴わない再遊技に使用された第１遊技価値が８１．６％、１Ｐの遊技機２での振替再遊技に使用された第２遊技価値の割合が１７．８％、２０Ｓの遊技機２での振替再遊技に使用された第２遊技価値の割合が０．６％となっている。また、５Ｓの口座（５Ｓ払出の列）では、５Ｓの遊技機２での口座振替を伴わない再遊技に使用された第１遊技価値が５４．８％、２０Ｓの遊技機２での振替再遊技に使用された第２遊技価値の割合が４５．２％となっている。同図によれば、４Ｐの口座は振替再遊技の利用比率が最も低く、５Ｓの口座は口座振替を伴わない再遊技の利用比率が低くなっており、振替再遊技の利用比率が最も高いという再遊技の傾向を把握できる。
【００５３】
図１１は、図１０と同様、全店再遊技種別割合データの一例である。この割合データでは、再遊技に使用された遊技価値（貯玉数）の各口座の内訳が遊技種別毎に示されている。例えば、１Ｐの遊技機２（１Ｐの行）では、１Ｐの口座を利用した振替を伴わない通常の再遊技に使用された第１遊技価値が８４．７％、４Ｐの口座を利用した振替再遊技に使用された第２遊技価値が１５．３％となっている。同図からは、１Ｐの遊技機２は、口座振替を伴わない再遊技の比率が４種類の遊技種別の中で最も高いという遊技傾向を把握できる。さらに、４Ｐの遊技機２は、口座振替を伴わない再遊技の利用比率が低くなっており、振替再遊技の利用比率が４種類の遊技種別の中で最も高いという遊技傾向を把握できる。
【００５４】
以上のように構成された遊技場用管理システム１は、口座振替を伴わない通常の再遊技に使用された第１遊技価値、及び振替再遊技に使用された第２遊技価値の大きさを、単価等が異なる遊技種別毎に区別して集計して出力可能である。特に、再遊技に使用された遊技価値のうち、通常の再遊技に使用された遊技価値の割合や、振替再遊技に使用された遊技価値の割合等を出力することも可能である。これらの割合を出力すれば、再遊技サービスを利用する際の遊技傾向を定量的に把握できる。例えば、特定の単価からの振替再遊技に偏りが生じているとき、その単価からの振替再遊技を禁止することにより偏りを是正するような運用も可能である。
【００５５】
このように、本例の遊技場用管理システム１は、貯玉した元の遊技機２とは単価等が異なる他の遊技機２を遊技する際の振替再遊技を認める遊技場を管理するために非常に有用なシステムである。この遊技場用管理システム１を導入すれば、振替再遊技を含めて再遊技の遊技傾向をきめ細かく把握でき、経営上の指針を得ることができる。
【００５６】
本例では、遊技種別、対応する口座種別として４種類を例示している。この種類は、２種類以上の複数種類であれば良く、種類の数は適宜変更可能である。
本例では、遊技カード１０に入金残高や持玉数を記録すると共に、管理装置６側でも管理している。本例に代えて、遊技カード１０側への入金残高や持玉数等の記録を止めても良い。計数貸出ユニット３等は、受け付けた遊技カード１０のカードＩＤを利用して管理装置６に問い合わせることで入金残高等を取得できる。
本例では、貯玉サービスを利用するために必要となる会員ＩＤの記録媒体として会員カード１０１を利用している。これに代えて、スマートフォン（多機能携帯電話）等の携帯端末を会員ＩＤの記録媒体として利用することも良い。ＩＣチップが組み込まれたコイン等を会員ＩＤの記録媒体として利用することも良い。
【００５７】
本例では、遊技機２毎に計数装置（計数貸出ユニット３）を付設しているが、複数の遊技機２の間で１台の計数装置が共用される構成を採用しても良い。
本例では、遊技媒体を払い出す遊技機２を例示している。これに代えて、パチンコ玉やメダル等の遊技媒体を払い出さず、獲得ポイント等、電子データとして加算記憶する封入式遊技機であっても良い。
【００５８】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００５９】
１  遊技場用管理システム
１０  遊技カード
１００  遊技機島
１１  場内ネットワーク
１１０  中継器
２  遊技機
２１  パチンコ遊技機
２２  スロットマシン
３  計数貸出ユニット
３３  タッチパネル
３４１  第１遊技価値使用手段
３４２  第２遊技価値使用手段
３７  計数部
３７１  中空ダクト
３７２  計数受け皿
５  景品交換端末（ＰＯＳ端末）
５１  カードユニット
６  管理装置
６０１  遊技価値記憶手段
６０２  遊技価値集計手段
６０３  集計結果出力手段
６０４  割合出力手段
【図１】
2014064847.tif 000003
【図２】
2014064847.tif 000004
【図３】
2014064847.tif 000005
【図４】
2014064847.tif 000006
【図５】
2014064847.tif 000007
【図６】
2014064847.tif 000008
【図７】
2014064847.tif 000009
【図８】
2014064847.tif 000010
【図９】
2014064847.tif 000011
【図１０】
2014064847.tif 000012
【図１１】
2014064847.tif 000013